(57)【要約】      （修正有）【課題】登山・ハイキングに用いられるステッキは、ステッキを使用しないときはできるだけ小さく収納できることが望ましい。従来はステッキのシャフトを三分割し伸縮式に収納する方法、三分割されたシャフトを折りたたんで収納する方法などがある。従来方式よりコンパクトに収納できるステッキを提供する。【解決手段】複数のシャフト(１、２、３、４)を連結および解体可能なステッキとし、ステッキのシャフトを挿入する貫通孔を備えたグリップ体１７をステッキに移動可能に取り付ける。上記のような構成にすることでグリップ１２をシャフトに対してシャフト終端部からはみ出さずに収納することができ、従来の製品より携帯性に優れたステッキとすることができる。【選択図】図１
2017148381.tif 000002
【特許請求の範囲】
【請求項１】
複数のシャフトを連結および解体可能なステッキであって、前記複数のシャフトをつなぐつなぎ手段と、前記複数のシャフトの1つであって、最も一端側にある一端側シャフトを挿入する貫通孔を備えたグリップ体と、前記グリップ体を前記一端側シャフトに固定するための固定手段とを備え、前記一端側シャフトの終端部より前記グリップ体を前記終端部の反対側に移動可能に構成されるステッキ。
【請求項２】
前記グリップ体は、前記一端側シャフトを挿入する筒体と、前記筒体の外側部に固定されるグリップとを含み、前記固定手段を前記筒体に備える請求項1に記載のステッキ。
【請求項３】
前記一端側シャフトにさらにストッパーを備え、前記グリップ体は、前記ストッパーに到達するまで前記終端部の反対側に移動可能に構成される請求項1または2に記載のステッキ。
【請求項４】
前記固定手段は、前記グリップ体を前記一端側シャフトの任意の位置で固定可能とする請求項1から3のいずれか1項に記載のステッキ。
【発明の詳細な説明】
【技術分野】
【０００１】
本発明は、登山、トレッキング、ハイキング、スキーなどに用いるステッキに関する。
【背景技術】
【０００２】
収納性・携帯性を向上させた登山用ステッキとしては、三分割されたシャフトをそれぞれの端面で連結して使用するものが知られている。たとえば特許文献１、特許文献２に開示されるものがある。
【先行技術文献】
【特許文献】
【０００３】
【特許文献１】特開2012-55381号公報
【特許文献２】特開2002-136315号公報
【発明の概要】
【発明が解決しようとする課題】
【０００４】
登山・ハイキングに用いられるステッキは、ステッキを使用しないときはできるだけ小さく収納できることが望ましい。そのため従来はステッキのシャフトを三分割しそれぞれを入れ子にして縮めて収納する方法、三分割されたシャフトをそれぞれの端面で連結して使用し、収納時にはその連結を解除する(折りたたむ)方法などがある。本発明では、グリップの位置調整の操作性を損なうことなく、よりコンパクトに収納できるステッキを提供することを課題とする。
【課題を解決するための手段】
【０００５】
本発明は、複数のシャフトを連結および解体可能なステッキとし、複数のシャフトは例えばワイヤー等のつなぎ手段により連結される。複数のシャフトのうち最も一端側にある一端側シャフトを挿入する貫通孔を備えたグリップ体と、グリップ体を前記一端側シャフトに固定するための固定手段とを備え、前記一端側シャフトの終端部より前記グリップ体を前記終端部の反対側に移動可能となるように構成する。
【発明の効果】
【０００６】
上記のような構成にすることでグリップをシャフトに対してシャフト終端部からはみ出さずに収納することができ、従来の製品より携帯性に優れたステッキとすることができる。
【図面の簡単な説明】
【０００７】
【図１】ステッキを組み立てた状態のシャフト軸線方向の断面図
【図２】グリップ体をスライドシャフトの終端部で固定した状態のシャフト軸線方向の断面図
【図３】グリップ体をスライドシャフトの終端部と反対側へ移動し、ストッパーに到達した位置で固定した状態のシャフト軸線方向の断面図
【図４】ステッキを解体した状態のシャフト軸線方向の断面図
【図５】固定手段のシャフト軸線方向に対して直角方向の断面図A
【発明を実施するための形態】
【０００８】
以下、本発明の実施の形態を図１〜図５に基づいて説明する。
【０００９】
図１〜図５の実施例においては長さの調節範囲は、100cm〜120cm  収納時の長さは30cmとなる。ここで、長さとは図Aにおいて石突き５の右終端から握り手１２の左終端までの寸法を意味する。
【００１０】
図１に示すように、ステッキ本体となるシャフトは第一シャフト1、第二シャフト２、第三シャフト３、第四シャフト４の四分割されたシャフトによって構成されている。第一シャフト１の先端部分は円錐状の形状とする。第一シャフト１の円錐状の先端は閉じた形状とする。第二シャフト２、第三シャフト３および第四シャフト４は円筒形状とする。
【００１１】
第一シャフト１、第二シャフト２、第三シャフト３、第四シャフト４の材質は、本実施例ではカーボンとする。カーボン以外にはアルミニウム、チタンなどの金属合金や合成樹脂も使用できるが、軽量化のためにはカーボンが望ましい。
【００１２】
第一シャフト１の先端には、地面に接するための金属製の石突き５が接着取り付けされる。石突き５は第一シャフト１に一体で成型してもよい。
【００１３】
第一シャフト１、第二シャフト２、第三シャフト３には連結ピン６が接着取り付けされ、組立時にはそれぞれが第二シャフト２、第三シャフト３、第四シャフト４の軸端部の穴に嵌めあい取り付けされる。連結ピン６の材質はアルミニウム、チタンなどの軽量合金やその他の金属、カーボン、合成樹脂、木材などが使用できる。図１においては、連結ピン６は第一シャフト１の左側の一端側、第二シャフト２の左側の一端側、第三シャフト３の左側の一端側にそれぞれ取り付けられ、第一シャフト１に取り付けられた連結ピン６は第二シャフト２の右側の一端側の孔に、第二シャフト２に取り付けられた連結ピン６は第三シャフト３の右側の一端側の孔に、第三シャフト３に取り付けられた連結ピン６は第四シャフト４の右側の一端側の孔にそれぞれ挿入されるが、嵌め合いの関係は図１の通りには限られない。例えば連結ピン６を第四シャフト４の右側の一端側に取り付け、第三シャフト３の左側の一端側に挿入し、連結ピン６を第三シャフト３の右側の一端側に取り付け、第二シャフト２の左側の一端側に挿入し、連結ピン６を第二シャフト２の右側の一端側に取り付け、第一シャフト１の左側の一端側に挿入する構成も可能である。
【００１４】
第四シャフト４の外周面にはスライドシャフト７が嵌めあい取り付けされ、第四シャフト４の軸線方向に対して移動可能になっている。スライドシャフト７は一端が閉じた円筒形とする。
【００１５】
スライドシャフト７の材質は、本実施例ではカーボンとする。カーボン以外にはアルミニウム、チタンなどの金属合金や合成樹脂も使用できるが、軽量化のためにはカーボンが望ましい。
【００１６】
スライドシャフト７の閉じた終端部と反対側の一端にはストッパー１６が構成されている。ストッパー１６の外径はスライドシャフト７の外径に対して大きくなっている。ストッパーによりグリップ体１７の移動可能範囲を規制する。
【００１７】
スライドシャフト７の閉じた端部の内側にはつなぎ手段８が取り付けられ、第三シャフト３の連結ピン６、第三シャフト３の内側、第二シャフト２の連結ピン６、第二シャフト２の内側、第一シャフト１の連結ピン６、第一シャフト１の内側を通されている。つなぎ手段８の一端はスライドシャフト7の内面に取り付けられている。複数のシャフトは組立時も解体時もワイヤーによってつなげられており、解体時には図４に示す通り折りたたみ可能な形態となる。本実施例では、つなぎ手段８にはステンレスワイヤーを用いている。つなぎ手段８の材質としては、その他にもケブラー繊維などの合成繊維、その他可撓性を有する材料が使用できる。図１、２、３、４においてはつなぎ手段８は１本であるが、複数に分割されていても良い。複数に分割されている場合のつなぎ手段８の材質としては、前記の材質の他にゴムなどの伸縮性を有するものも使用できる。
【００１８】
第一シャフト１の閉じた端部には引っ張りコイルばね９が取り付けられ、つなぎ手段８の一端は引っ張りコイルばね９に取り付けられている。つなぎ手段８と引っ張りコイルばね９により発生する張力により一体のシャフトとして組み立てられる。本実施例では、一体のシャフトとして組み立てた状態での張力が50(N)となるように引っ張りコイルばね９を設定している。
【００１９】
第四シャフト４にはストッパーピン１０が構成され、組立時にはストッパーピン１０の作用により第四シャフト４とスライドシャフト７は固定されている。実際にはストッパーピン１０は第四シャフト４に取り付けられたストッパー１６に当たって止まるようになっている。ストッパーピン１０は第四シャフト４の内部に取り付けられた板ばね１１に取り付けられている。
【００２０】
収納時には第一シャフト１、第二シャフト４、第三シャフト３、第四シャフト４の連結を解除する。ストッパーピン１０を押し込むことで第四シャフト４とスライドシャフト７の固定が解除される。その状態でスライドシャフト７を第四シャフト４の軸線方向に移動させ縮める。縮めた状態で第一シャフト１、第二シャフト２、第三シャフト３、第四シャフト４を解体する。折りたたんで収納した状態が図４である。本実施例においては、収納時の長さは30(cm)となる。
【００２１】
本実施例ではステッキは四分割としたが、分割数は四分割より多くても少なくてもよい。
【００２２】
グリップ１２と固定手段１３が構成されたグリップ体１７は、スライドシャフト７の外周にすきま嵌めにて取り付けられる。筒体１４は円筒形のシャフト形状で、両端は開いている。グリップ１２と固定手段１３が構成されたグリップ体１７は、シャフト本体に対し軸線方向に移動可能である。
【００２３】
グリップ１２は筒体１４に接着取り付けされる。本実施例においては、グリップ１２の幅は手の幅に合わせ10cmとする。グリップ１２の素材には熱可塑性樹脂であるEVAフォーム(エチレン-酢酸ビニル共重合樹脂)を使用する。そのほか、一般的な樹脂材料も使用できる。また、コルクや木材などの天然素材や軽量金属なども使用できる。
【００２４】
筒体１４の材質にはカーボンを用いる。その他、筒体１４の材質にはカーボン以外にはアルミニウム、チタンなどの金属合金や合成樹脂も使用できるが、軽量化のためにはカーボンが望ましい。
【００２５】
グリップ１２に隣接して固定手段１３が構成される。固定手段１３は、スライドシャフト７上の任意の位置でグリップ体１７を固定するための構成である。固定手段１３は、グリップ１２がステッキ末端に構成されている従来のステッキにおける長さ調整機能に相当する。図３のように握り手を石突き５側に近づけて固定すればステッキを短くしたことと同等であり、図２のように石突き５から遠ざけて固定すればステッキを長くしたことと同等となる。
【００２６】
本実施例においては、スライドシャフト７上でグリップ体１７が移動可能な幅を20cmとした。また、石突き５からグリップ体１７の終端までの長さは100cm〜120cmとしている。これは従来のステッキにおいて長さが100cmから120cmまで調整可能であることと同等である。
【００２７】
固定手段１３は、スライドシャフト７の外周を締め付ける機構を有する。スライドシャフト７の外周から締結する(締め付ける)ことにより発生する静止摩擦力を利用して固定する。固定・解放操作は、固定手段１３の筒体１４外周の円周方向に設けられたレバー１５の開閉によって行う。レバー１５を閉じることにより固定、開くことにより解放される。
【００２８】
収納の際は、グリップ体１７をスライドシャフトからはみ出さない位置に固定し、第一シャフト１、第二シャフト２、第三シャフト３、第四シャフト４を解体し折りたたむ。
【００２９】
従来のステッキと比較して握り手部分がステッキからはみ出すことなく収納できるので、より携帯性にすぐれたステッキとすることができる。
【００３０】
携帯性に優れることで、登山・ハイキングにおいてステッキを使用しないときにバックパック等からステッキがはみ出すことがなく、周りの木などに引っかかる危険性が軽減される。また、大型のバックパックを使用することなくステッキを携行することができる。
【符号の説明】
【００３１】
１．第一シャフト
２．第二シャフト
３．第三シャフト
４．第四シャフト
５．石突き
６．連結ピン
７．スライドシャフト
８．つなぎ手段
９．引っ張りコイルばね
１０．ストッパーピン
１１．板ばね
１２．グリップ
１３．固定手段
１４．筒体
１５．レバー
１６．ストッパー
１７：グリップ体
【図１】
2017148381.tif 000003
【図２】
2017148381.tif 000004
【図３】
2017148381.tif 000005
【図４】
2017148381.tif 000006
【図５】
2017148381.tif 000007